(57)【要約】【課題】使用済み食用油の濾過が簡単にできると共に、再生後の食用油を効率よく回収することができる食用油再生装置を提供する。【解決手段】食用油を収納する揚げ物槽１１の下方に、揚げ物槽１１で使用した食用油から不純物を濾過して食用油を再生する濾過槽１２を具備し、濾過槽１２内には所定量の濾過水を有し、揚げ物槽１１の下部には使用済み食用油を濾過水に供給する排油管１５を有し、使用済み食用油を、高温の状態で上記排油管１４を通して濾過水中に潜り込ませるように供給することを特徴とする食用油再生装置１０である。また、濾過槽１２内の濾過水量を調節して、濾過槽１２内で再生した食用油を、移送管２２を通して貯油タンク１３に移送することを特徴とする。【選択図】図１
2012010941.tif 000002
【特許請求の範囲】
【請求項１】
食用油を収納する揚げ物槽の下方に、揚げ物槽で使用した食用油から不純物を濾過して食用油を再生する濾過槽を具備し、
濾過槽内には所定量の濾過水を有し、揚げ物槽の下部には使用済み食用油を濾過水に供給する排油管を有し、
使用済み食用油を、高温の状態で上記排油管を通して濾過水中に潜り込ませるように供給することを特徴とする食用油再生装置。
【請求項２】
濾過槽は、濾過水の供給量を調節する濾過水調節手段を具備し、
その濾過水調節手段により濾過槽内の濾過水量を調節して、濾過槽内で再生した食用油を、移送管を通して貯油タンクに移送することを特徴とする請求項１に記載の食用油再生装置。
【請求項３】
揚げ物槽に収納された使用済み食用油を、高温の状態で上記排油管を通して濾過水中に潜り込ませるように供給する工程と、
濾過槽にて、使用済み高温の食用油を、不純物と水と濾過後の食用油とに分離する工程と、
濾過水調節手段により濾過槽内の濾過水量を調節して、濾過槽内で再生した食用油を、移送管を通して貯油タンクに移送する工程と、を有することを特徴とする食用油再生方法。
【発明の詳細な説明】
【技術分野】
【０００１】
本発明は、使用済み食用油を再生する食用油再生装置及びその再生方法の発明に関する。
【背景技術】
【０００２】
従来、揚げ物等に使用した食用油を未処理のままで放置していたのでは、酸化したり、使用中に食用油に混入した水分や挟雑物との化学変化により品質が劣化したりして、２〜３回で使用に耐えられなくなる。
【０００３】
このような問題に対して、一度使用した食用油を、そのまま廃棄せずに、濾紙で濾過して挟雑物を除去する食用油濾過装置が考案されている。例えば、特許文献１には、フライヤーの下方に設置され、濾紙で濾過して挟雑物を除去する食用油濾過装置が開示されている。これにより、食用油を長く使用することができると共に、環境の保護にもつながる。
【先行技術文献】
【特許文献】
【０００４】
【特許文献１】特開平０９−０７５２３７号公報
【発明の概要】
【発明が解決しようとする課題】
【０００５】
ところが、上記特許文献１に記載の食用油再生装置では、使用済みの食用油を濾紙で濾過して挟雑物を除去して劣化を防止することが考えられていたが、濾過と冷却とに長時間を要し、更に、食用油中に混入した水分を完全に除去できないため劣化防止には不十分であった。
【０００６】
また、特許文献１に記載の発明では、濾紙に食用油の一部が吸着されて、濾過後の食用油を効率よく回収することができなかった。さらに、濾紙を交換する手間も生じていた。
【０００７】
本発明は、斯かる事情に鑑みてなされたものであって、使用済みが食用油の濾過が簡単にできると共に、再生後の食用油を効率よく回収することができる食用油再生装置を提供する。
【課題を解決するための手段】
【０００８】
上記課題を解決するために、請求項１に記載の発明は、食用油を収納する揚げ物槽の下方に、揚げ物槽で使用した食用油から不純物を濾過して食用油を再生する濾過槽を具備し、濾過槽内には所定量の濾過水を有し、揚げ物槽の下部には使用済み食用油を濾過水に供給する排油管を有し、使用済み食用油を、高温の状態で上記排油管を通して濾過水中に潜り込ませるように供給することを特徴とする食用油再生装置である。
【０００９】
請求項２に記載の発明は、濾過槽は、濾過水の供給量を調節する濾過水調節手段を具備し、その濾過水調節手段により濾過槽内の濾過水量を調節して、濾過槽内で再生した食用油を、連結パイプを通して貯油タンクに移送することを特徴とする請求項１に記載の食用油再生装置である。
【００１０】
請求項３に記載の発明は、揚げ物槽に収納された使用済み食用油を、高温の状態で上記排油管を通して濾過水中に潜り込ませるように供給する工程と、濾過槽にて、使用済み高温の食用油を、不純物と水と濾過後の食用油とに分離する工程と、濾過水調節手段により濾過槽内の濾過水量を調節して、濾過槽内で再生した食用油を、移送管を通して貯油タンクに移送する工程と、を有することを特徴とする食用油再生方法である。
【発明の効果】
【００１１】
（１）請求項１に記載の食用油再生装置では、濾過槽内の所定量の濾過水に高温の食用油を注入することで、沈澱物は濾過槽の底部にだけ沈澱し、処理済みの食用油を取出す際に、挟雑物が食用油に混入するのを防止することができる。
【００１２】
すなわち、高温の使用済み食用油は、濾過槽内の濾過水で冷却されて、次第に温度を下げながら沈澱処理されるのであるが、食用油が高温の時は、食用油と水分の分子の運動が活発で油分と水分との分離が促進されると共に、食用油の粘性が低いので水分や挟雑物の沈降速度が速くなる。また、低温になるに従って食用油の分子運動が次第に不活発になるが、水分の分子運動は活発なままで持続して、油分から遊離した水の粒子同士が結合して大きな粒子となり、更に濾過水の水粒子が結合して、大きな水の粒子となるため、水分の沈降速度が速く維持することができ、更に、高温の持続による食用油の品質低下を防止することができる。
【００１３】
（２）請求項２に記載の食用油再生装置では、濾過槽内に濾過時よりも水を供給して、濾過槽内に水を充填することにより、水よりも比重の軽い食用油は、移送管を介して、サブタンクに移送するようにしている。このようにして、食用油を効率よく回収することができる。
【００１４】
（３）請求項３に記載の食用油再生方法では、油の使用、使用後の油の濾過、濾過後の再生油の回収、再生油の使用を循環させることができ、フライヤーに収納されている使用済みの食用油の再生及び回収が容易に行える。
【図面の簡単な説明】
【００１５】
【図１】本発明に係る実施例の食用油再生装置の全体構造を示す斜視図である。
【図２】本発明に係る実施例の食用油再生装置の全体構造を示す説明図であり、（ａ）は正面図であり、（ｂ）は側面図である。
【図３】本発明に係る実施例の食用油再生装置の揚げ作業終了時の状態を示す正面図である。
【図４】本発明に係る実施例の食用油再生装置の再生油をサブタンクに移送する状態を示す正面図である。
【図５】本発明に係る実施例の食用油再生装置の濾過槽内を洗浄する状態を示す正面図である。
【図６】本発明に係る実施例の食用油再生装置の濾過槽内の濾過水を規定量に設定した状態を示す正面図である。
【図７】本発明に係る実施例の食用油再生装置の新規濾過開始を示す正面図である。
【図８】本発明に係る実施例の食用油再生装置の使用済み食用油の濾過状態を示す正面図である。
【図９】本発明に係る実施例の食用油再生装置のフライヤーの洗浄状態を示す正面図である。
【図１０】本発明に係る実施例の食用油再生装置のサブタンクより再生油を供給する状態を示す正面図である。
【図１１】本発明に係る実施例の食用油再生装置のサブタンクの残水を濾過タンク内に落とす状態を示す正面図である。
【図１２】本発明に係る実施例の食用油再生装置のフライヤーに食用油を足す状態を示す正面図である。
【発明を実施するための形態】
【００１６】
本発明は、その特徴的構造として、食用油を収納する揚げ物槽の下方に、揚げ物槽で使用した食用油から不純物を濾過して食用油を再生する濾過槽を具備し、濾過槽内には所定量の濾過水を有し、揚げ物槽の下部には使用済み食用油を濾過水に供給する排油管を有し、使用済み食用油を、高温の状態で上記排油管を通して濾過水中に潜り込ませるように供給する。
【００１７】
ここで、使用済み食用油を濾過水中に潜り込ませるとは、使用済みの食用油を揚げ物槽の下部の排水管から濾過水中に勢いよく飛び込ませるように供給することをいう。揚げ物槽は、その下部に排油弁を介して排出する排出管を有しており、その排出管より食用油を勢いよく排出することができる。
【００１８】
使用済みの食用油を、高温の状態で濾過水中に飛び込ませるように供給することにより、その使用済みの食用油は、水分との接触面が増え、濾過水中においてその全体が冷却されるので供給時の水の暴発が少なくなる。
【００１９】
そして、高温の使用済み食用油は、濾過槽内の濾過水で冷却されて、次第に温度を下げながら沈澱処理されるのであるが、食用油が高温の時は、食用油と水分の分子の運動が活発で油分と水分との分離が促進されると共に、食用油の粘性が低いので水分や挟雑物の沈降速度が速くなる。
【００２０】
また、低温になるに従って食用油の分子運動が次第に不活発になるが、水分の分子運動は活発なままで持続して、油分から遊離した水の粒子同士が結合して大きな粒子となり、更に濾過水の水粒子が結合して、大きな水の粒子となるため、水分の沈降速度が速く維持することができ、更に、高温の持続による食用油の品質低下を防止することができる。
【００２１】
また、濾過槽内の濾過水によって、調理中の加熱によって重合又は縮合し化学変化の進んでいる食用油を水で急冷却することで、もとの食用油に再生する。
【００２２】
さらに、水分を含んだ挟雑物は水よりも比重が大きいため、沈澱処理後、食用油と沈澱した挟雑物とが、水の層によって分離されるので、挟雑物との接触による食用油の品質劣化を防止でき、更に、分離処理した食用油を取出す際に、挟雑物が混入するのが防止される。
【００２３】
以上のように、高温の使用済み食用油が濾過水によって急速に冷却され、かつ、水分と挟雑物との沈降速度が速くなるので、使用済み食用油から水分と挟雑物とを短時間で沈澱分離することができる。
【００２４】
また、本実施形態における使用済み食用油の再生装置の特徴として、濾過槽は濾過水の供給量を調節する濾過水調節手段を具備し、その濾過水調節手段により濾過槽内の濾過水量を調節して、濾過槽内で再生した食用油を、連結パイプを通して貯油タンクに移送するようにしている。
【００２５】
濾過水調節手段は、濾過槽内に水を供給する水道と、水道と濾過槽とを連結する水供給管と、水道からの水を供給したりその供給を停止したりする濾過タンク給水バルブなどにより構成する。又は、ポンプやバルブを用いて濾過槽内の濾過水の供給量を調節することもできる。
【００２６】
このように、再生油の移送時には、濾過槽内に濾過時よりも水を供給することにより、濾過槽内一杯に水を充填するので、水よりも比重の軽い食用油は、移送管を介して、貯油タンクに移送される。これにより、再生後の食用油を効率よく回収することができる。
【実施例】
【００２７】
以下、本発明の実施例について図面を参照して詳細に説明する。
【００２８】
図１及び図２は、本発明に係る食用油再生装置１０を示しており、同食用油再生装置１０はフライヤー１１（揚げ物槽）の下方に設置された油濾過タンク１２（濾過槽）を備える。また、油濾過タンク１２には、サブタンク１３（貯油タンク）が移送管２２を介して連結されている。
【００２９】
フライヤー１１は、図１及び図２に示すように、給食センターや食堂などの厨房で使用するものであり、上方が開放された箱形状を有するもので、その箱内部に食用油が収納される。収納された食用油は、燃焼ガスの流れによって発熱する熱交換器３１などで熱せられる。そして、熱せられた食用油で食品を揚げるようにしている。同視
【００３０】
また、フライヤー１１は、背面部に揚げ物時の煙を排煙する排煙フード３０が設けられている。すなわち、熱交換器３１で熱せられた油煙を排煙フード３０内に配設した排煙筒を通して排煙フード３０の先端から排煙するようにしている。
【００３１】
フライヤー１１の底部には、フライヤー１１に収納された食用油をフライヤー油ドレンバルブ１５を介して排油する排油管１４を備えている。排油管１４は油濾過タンク１２の油供給管１６と連結可能としている。また、排油管１４に分岐して分岐管２６が配設され、その分岐管２６にはフライヤー排水ドレンバルブ２７が配設されている。
【００３２】
そして、フライヤー１１に収納された食用油は、フライヤー１１油ドレンバルブを開けることにより、フライヤー１１の排油管１４及び油供給管１６を通して油濾過タンク１２内に供給できるようにしている。
【００３３】
油濾過タンク１２は密閉した容器で構成され、その前面にはタンク内部が確認できるように透明な素材で形成された確認窓１７が配設されている。この確認窓１７は、油濾過タンク１２内で使用済みの食用油から、再生後の食用油と水分と挟雑物との分離の状態を確認するためのものである。このように、油濾過タンク１２を密閉することにより、油濾過タンク１２内の濾過水に高温の食用油を潜り込ませるときの、濾過水からの油の飛びを防止することができる。
【００３４】
油濾過タンク１２内には、濾過水が油濾過タンク１２内の体積の半分程度の量が収納されている。この濾過水は、使用済み食用油から水分と挟雑物とを油濾過タンク１２内で沈澱分離させるものである。
【００３５】
油濾過タンク１２は、そのタンク内に濾過水を供給する給水管１８が連結されている。給水管１８には、その開閉により油濾過タンク１２内に水を供給したり、その供給を停止したりする濾過タンク給水バルブ１９がその中途部に配設されている。
【００３６】
油濾過タンク１２にはその底部に排水口を有し、その排水口には排水管２０が連通されている。また、排水管２０は、開閉することにより油濾過タンク１２内の濾過水を外方に排水する濾過タンク排水バルブ２１をその中途部に有している。これにより、濾過後の濾過水を排水管２０を通して排水可能としている。
【００３７】
サブタンク１３は、再生後の食用油を回収すると共に、再度揚げ物用の食用油としてフライヤー１１で使用するために貯油するものである。なお、サブタンク１３を備えない場合には、濾過後の食用油を揚げ物槽に供給するようにしてもよい。
【００３８】
サブタンク１３は、箱状に形成され、その内部に食用油を貯油するようにしている。そして、サブタンク１３は、貯油した食用油の量がわかるようにその表面部が透明なアクリル板３２で構成するようにしてもよい。
【００３９】
サブタンク１３は、フライヤー１１の上方に配置している。サブタンク１３には油濾過タンク１２との間に移送管２２が連通されており、その移送管２２のサブタンク１３側にはサブタンクドレンバルブ２３が配設されている。また、サブタンク１３にはそのサブタンク１３に貯油している食用油をフライヤー１１に注入する油注入管２４が連通されており、その油注入管２４にはサブタンク１３からの食用油の供給の開閉を行うサブタンク給油バルブ２５が配設されている。
【００４０】
なお、油注入管２４の上端部は、サブタンク１３の底面より上方であって、移送管２２の上端部よりも上方に突出させている。これにより、油濾過タンク１２から移送された水をサブタンク１３の下部側にまで移送しても、再生した食用油は比重により水の上方に位置しており、その上方に位置する食用油を油注入管２４を介してフライヤー１１に供給することができる。
【００４１】
本発明の実施例における食用油再生装置１０は、サブタンク１３と油濾過タンク１２とで構成されており、従来からあるフライヤー１１に組み込むことで、食用油を再生する装置として使用することができる。そして、使用済み食用油の再生方法は以下のようにして行う。
【００４２】
まず、図１２に示すように、一斗缶２９に充填されている新規な食用油をフライヤー１１に供給する。その後、フライヤー１１にて揚げ作業を行う。
【００４３】
この後、図３に示すように、フライヤー１１には使用済みの高温の食用油が収納されている。また、油濾過タンク１２内には前回使用した食用油が供給されており、その食用油は再生した食用油と挟雑物と水分とに分離した状態となっている。なお、この状態では、すべてのバルブが閉の状態である。
【００４４】
次に、図４に示すように、濾過タンク給水バルブ１９を開にし、給水管１８を通して水道３３より油濾過タンク１２内に水を供給することで、油濾過タンク１２内を水で一杯にする。このとき、サブタンクドレンバルブ２３を開にして、上記再生した食用油は、移送管２２を通してサブタンク１３に充填される。
【００４５】
サブタンク１３内に食用油を移送した後は、図５に示すように、油濾過タンク１２に水を供給しながら、濾過タンク排水バルブ２１を開にして、排水管２０を通して油濾過タンク１２内の水を排水して、油濾過タンク１２内の洗浄を行う。これにより、油濾過タンク１２内で分離した挟雑物等の沈殿物をタンク外に排出して、油濾過タンク１２内部を洗浄することができる。
【００４６】
この後、図６に示すように、油濾過タンク１２内が洗浄された後は、水の供給を停止して、排水管２０より排水しながら、油濾過タンク１２内の濾過水を規定量になるように量を調節する。
【００４７】
次に、図７に示すように、揚げ物等に使用した直後の高温（約１８０℃）の食用油を、フライヤー１１油ドレンバルブを開にして排油管１４を通して、使用済み食用油を濾過水中に潜り込ませるように供給する。このとき、フライヤー１１にお湯を供給して、お湯と共に食用油を油濾過タンク１２内に供給するとき、お湯でフライヤー１１を洗い流すようにしてもよい。そして、高温の食用油は、油濾過タンク１２内の濾過水中に潜り込むように供給される。
【００４８】
ここで、使用済み食用油を濾過水中に潜り込ませるとは、フライヤー１１の下部の排水管２０から使用済みの食用油が濾過水中に勢いよく飛び込ませるように供給することをいう。
【００４９】
本実施例では、食用油を収納しているフライヤー１１の内底部が排油管１４に向かって絞り込んだ形状を有しており、上方のフライヤー１１から下方の濾過槽に排油管１４を通して使用済み食用油を投入するようにしているので、使用済みの食用油が濾過水中に勢いよく飛び込ませるように供給することができる。
【００５０】
このように、使用済みの食用油を、高温の状態で濾過水中に飛び込ませて供給することにより、その使用済みの食用油は、水分との接触面が増えて、濾過水中においてその全体が冷却されるので暴発が少なくなる。
【００５１】
この後、図８に示すように、油濾過タンク１２内において、供給された食用油を所定時間放置して、食用油と挟雑物と水分とに分離するようにする。
【００５２】
この際、高温の使用済み食用油は、油濾過タンク１２内の濾過水で冷却されて、次第に温度を下げながら沈澱処理されるが、食用油が高温の時は、食用油と水分の分子の運動が活発で油分と水分との分離が促進されると共に、食用油の粘性が低いので水分や挟雑物の沈降速度が速くなる。
【００５３】
また、低温になるに従って、食用油の分子運動が次第に不活発になるが、水分の分子運動は活発なままで持続して、油分から遊離した水の粒子同士が結合して大きな粒子となり、更に濾過水の水粒子が結合して、大きな水の粒子となるため、水分の沈降速度が速く維持することができ、更に、高温の持続による食用油の品質低下を防止することができる。
【００５４】
また、濾過水の水粒子が使用済み食用油に接触する際に、調理中の加熱によって重合又は縮合し化学変化の進んでいる食用油を水で急冷却することで、もとの食用油に再生して、再生処理の収率を高めると共に、食用油の粒子に結合した水溶性の塩類や有機物質を上記水滴中に取り込んで沈降させ、更に、濾過水の水分が、挟雑物に吸収されて挟雑物の比重が大きくなることにより、挟雑物の沈降速度を速めることができる。
【００５５】
そして、図８に示すように、高温の使用済み食用油が油濾過タンク１２内の濾過水で急速に冷却され、かつ、水分と挟雑物との沈降速度が速くなり、使用済み食用油から水分と挟雑物とを短時間で沈澱分離することができる。
【００５６】
上述したように、水分及び挟雑物の沈降速度と冷却とを速めているので、約１〜２時間で使用済み食用油の再生を完了することができる。
【００５７】
上記濾過中には、図９に示すように、フライヤー１１に洗剤を含んだ洗浄水を供給し、フライヤー１１下部の排油管１４から分岐した分岐管２６を通してバケツ２８に排水するようにすることで、フライヤー１１の槽内の洗浄が可能となる。このとき、フライヤー油ドレンバルブ１５は閉にし、フライヤー排水ドレンバルブ２７は開にする必要がある。
【００５８】
洗浄水は水でもよいがフライヤー１１の熱交換器３１によって水がお湯になるまで沸かすようにしてもよい。このようにすることで、フライヤー１１の内壁面に付着して油などを除去することができる。
【００５９】
次に、図１０に示すように、濾過水調節手段として、水道３３より水を供給し、濾過タンク給水バルブ１９を開にして給水管１８を通して、水を油濾過タンク１２内のタンク一杯になるように供給する。これにより、食用油は、移送管２２を通してサブタンク１３に充填される。
【００６０】
さらに、図１１に示すように、濾過タンク排水バルブ２１を開にして、油濾過タンク１２内の挟雑物と水分とを排出させる。このとき、濾過タンク排水バルブ２１を開くことで、排水管２０に空気が入り込み、同時に水圧によって、油濾過タンク１２内の水分と共に挟雑物も油濾過タンク１２外に排出される。これにより、排水管２０のセルフクリーニングも可能となる。
【００６１】
最後に、図１２に示すように、サブタンク１３において、再生後の食用油を貯油して、サブタンク給油バルブ２５を開にして給油管を通してフライヤー１１に供給して、次の揚げ物の食用油として使用できるようにしている。また、再生油が足りない場合には新しい食用油を足すこともできる。
【００６２】
以上のようにして、図３〜図１２に示すように、循環して食用油を再生できるようにしている。
【００６３】
また、分離した食用油をサブタンク１３に移送して、再生した食用油を回収するようにしている。このように、再生した食用油を効率良く回収することができる。
【００６４】
この結果、本実施例における食用油再生方法は、油の使用、使用後の油の濾過、濾過後の再生油の回収、再生油の使用を循環させることができ、フライヤー１１に収納されている使用済みの食用油の再生及び回収が容易に行える。
【符号の説明】
【００６５】
１０  食用油再生装置
１１  フライヤー（揚げ物槽）
１２  油濾過タンク
１３  サブタンク（貯油タンク）
１４  排油管
１５  フライヤー油ドレンバルブ
１６  油供給管
１７  確認窓
１８  水供給管
１９  濾過タンク給水バルブ
２０  排水管
２１  濾過タンク排水バルブ
２２  移送管
２３  サブタンクドレンバルブ
２４  油注入管
２５  サブタンク給油バルブ
２６  分岐管
２７  フライヤー排水ドレンバルブ
２８  バケツ
２９  一斗缶
３０  排煙フード
３１  ガス管
３２  アクリル板
３３  水道
【図１】
2012010941.tif 000003
【図２】
2012010941.tif 000004
【図３】
2012010941.tif 000005
【図４】
2012010941.tif 000006
【図５】
2012010941.tif 000007
【図６】
2012010941.tif 000008
【図７】
2012010941.tif 000009
【図８】
2012010941.tif 000010
【図９】
2012010941.tif 000011
【図１０】
2012010941.tif 000012
【図１１】
2012010941.tif 000013
【図１２】
2012010941.tif 000014